(57)【特許請求の範囲】
【請求項１】
第一及び第二の端部を有するリング部材を備えた磁束リングであって、前記端部は、前記リングが圧縮・延伸する際にそれぞれ互いに接近・離間するように配置され、
さらに、前記リングと一体に形成された少なくとも１つのアンカーであって、前記リングから半径方向内側に突出するアンカーと、
少なくとも１つの磁石と、を備える磁束リングであって、
前記一体に形成されたアンカーは、前記少なくとも１つの磁石を前記リングに結合するために前記磁石に嵌め込まれ、前記磁石は、前記リングが前記リングに結合された少なくとも１つの磁石と共に圧縮・延伸されるように前記リングに結合され、
前記アンカーは、前記磁石が該アンカーの下に延びるように前記アンカーを囲むことにより前記磁石に嵌め込まれる、磁束リング。
【請求項２】
前記第一の端部と第二の端部とは、互いにオーバーラップする請求項１に記載の磁束リング。
【請求項３】
前記少なくとも１つの磁石は、前記磁石が前記磁石を前記リングに結合するために前記アンカーを用いて嵌め込まれるように前記リングに形成される請求項１に記載の磁束リング。
【請求項４】
前記第一及び第二の端部は、嵌合する又は噛合う突起及び凹部分を少なくとも１つ含む請求項１に記載の磁束リング。
【請求項５】
前記少なくとも１つの磁石は、前記リング上に射出成形される請求項３に記載の磁束リング。
【請求項６】
少なくとも１つの第二のアンカーを更に備える請求項１に記載の磁束リングであって、前記第二のアンカーは、さら穴部分を含む前記リングの開口である請求項１に記載の磁束リング。
【請求項７】
前記アンカーは、開口とさら穴部分とを備えており、前記さら穴部分は前記リングの外側表面まで延びており、前記磁石は、前記さら穴部分を囲むと共に前記さら穴部分の中へ延びてリングの外側表面まで至り、ネックとヘッドとを形成している、請求項１に記載の磁束リング。
【請求項８】
第一及び第二の端部を有するリング部材を備えた磁束リングであって、前記端部は、前記リングが圧縮・延伸する際にそれぞれ互いに接近・離間するように配置され、
さらに、前記リングと一体に形成された少なくとも１つのアンカーであって、前記リングから半径方向内側に突出するアンカーと、
少なくとも１つの磁石と、を備える磁束リングであって、
前記一体に形成されたアンカーは、前記少なくとも１つの磁石を前記リングに結合するために前記磁石に嵌め込まれ、前記磁石は、前記リングが前記リングに結合された少なくとも１つの磁石と共に圧縮・延伸されるように前記リングに結合され、
前記アンカーは、開口が前記アンカーの下に形成されて前記磁石が前記アンカーの周囲及び下に延びるように前記リングから突出している、磁束リング。
【請求項９】
モータカン・ハウジングと、
前記モータカン・ハウジングにそれぞれ結合される２つの端部キャップと、
前記モータカン・ハウジング内に固定される磁束リングとを備えた電動モータであって、
前記磁束リングは、
第一及び第二の端部を有するリング部材を備え、前記端部は、組立中の前記リングの圧縮・延伸の際に互いに接近・離間するように配置され、
さらに、前記リングと一体に形成される少なくとも１つのアンカーであって、前記リングから半径方向内側に突出するアンカーと、
少なくとも１つの磁石とを備え、前記少なくとも１つの磁石を前記リングに結合するために前記一体に形成されたアンカーは前記磁石に嵌め込まれ、前記磁石は、組立中に、前記リングが前記リングに結合された前記少なくとも１つの磁石と共に圧縮・延伸されるように前記リングに結合され、
さらに、前記モータカン・ハウジングに配置される接極子組立体とを備え、
前記アンカーは、前記磁石が該アンカーの下に延びるように前記アンカーを囲むことにより前記磁石に嵌め込まれる、電動モータ。
【請求項１０】
前記第一の端部と第二の端部とは、互いにオーバーラップする請求項９に記載の電動モータ。
【請求項１１】
前記少なくとも１つの磁石は、前記磁石が前記磁石を前記リングに結合するために前記アンカーを用いて嵌め込むように、前記リングに形成される請求項９に記載の電動モータ。
【請求項１２】
前記第一端部と第二端部とは、嵌合する又は噛合う突起及び凹部分を少なくとも１つ含む請求項９に記載の電動モータ。
【請求項１３】
前記少なくとも１つの磁石は、前記リング上に射出成形された請求項１１に記載の電動モータ。
【請求項１４】
少なくとも１つの第二のアンカーを更に備える請求項９に記載の電動モータであって、前記第二のアンカーは、さら穴部分を含む前記リングの中の開口である請求項９に記載の電動モータ。
【請求項１５】
前記アンカーは、開口とさら穴部分とを備えており、前記さら穴部分は前記リングの外側表面まで延びており、前記磁石は、前記さら穴部分を囲むと共に前記さら穴部分の中へ延びてリングの外側表面まで至り、ネックとヘッドとを形成している、請求項９に記載の電動モータ。
【請求項１６】
モータカン・ハウジングと、
前記モータカン・ハウジングにそれぞれ結合される２つの端部キャップと、
前記モータカン・ハウジング内に固定される磁束リングとを備えた電動モータであって、
前記磁束リングは、
第一及び第二の端部を有するリング部材を備え、前記端部は、組立中の前記リングの圧縮・延伸の際に互いに接近・離間するように配置され、
さらに、前記リングと一体に形成される少なくとも１つのアンカーであって、前記リングから半径方向内側に突出するアンカーと、
少なくとも１つの磁石とを備え、前記少なくとも１つの磁石を前記リングに結合するために前記一体に形成されたアンカーは前記磁石に嵌め込まれ、前記磁石は、組立中に、前記リングが前記リングに結合された前記少なくとも１つの磁石と共に圧縮・延伸されるように前記リングに結合され、
さらに、前記モータカン・ハウジングに配置される接極子組立体とを備え、
前記アンカーは、開口が前記アンカーの下に形成されて前記磁石が前記アンカーの周囲及び下に延びるように前記リングから突出している、電動モータ。
【請求項１７】
ハウジングと、
前記ハウジングのモータとを備えた電動工具であって、前記モータは、
モータカン・ハウジングと、
前記モータカン・ハウジングにそれぞれ結合される２つの端部キャップと、
前記モータカン・ハウジング内に固定される磁束リングとを備え、前記磁束リングは、
第一及び第二の端部を有するリング部材を含み、前記端部は、組立中の前記端部が前記リングの圧縮・延伸の際に、互いに接近・離間するように互いに配置され、
さらに、前記リングと一体に形成される少なくとも１つのアンカーであって、前記リングから半径方向内側に突出するアンカーと、
少なくとも１つの磁石と、を備え、前記少なくとも１つの磁石を前記リングに結合するために前記一体に形成されたアンカーは前記磁石に嵌め込まれ、前記磁石は、前記リングが、組立中に、前記リングに結合された前記少なくとも１つの磁石と共に圧縮・延伸されるように前記リングに結合され、
さらに、前記モータカン・ハウジングに配置される接極子組立体と、
電源と、
前記モータと該モータを通電・遮断させる前記電源とに接続される起動部材と、
前記モータが該モータの通電中に出力軸を駆動させるように前記モータに接続された出力軸とを含み、
前記アンカーは、前記磁石が該アンカーの下に延びるように前記アンカーを囲むことにより前記磁石に嵌め込まれる、電動工具。
【請求項１８】
前記第一端部と第二端部とは、互いにオーバーラップする請求項１７に記載の電動工具。
【請求項１９】
前記少なくとも１つの磁石は、前記磁石が前記磁石を前記リングに結合されるために前記アンカーを用いて嵌め込まれるように前記リングに形成される請求項１７に記載の電動工具。
【請求項２０】
前記第一及び第二の端部は、少なくとも１つの嵌合する又は噛合う突起及び凹部分を含む請求項１７に記載の電動工具。
【請求項２１】
前記少なくとも１つの磁石は、前記リング上で射出成形される請求項１９に記載の電動工具。
【請求項２２】
少なくとも１つの第二のアンカーを更に備える請求項１７に記載の電動工具であって、前記第二のアンカーは、さら穴部分を含む前記リングの開口である請求項１７に記載の電動工具。
【請求項２３】
前記アンカーは、開口とさら穴部分とを備えており、前記さら穴部分は前記リングの外側表面まで延びており、前記磁石は、前記さら穴部分を囲むと共に前記さら穴部分の中へ延びてリングの外側表面まで至り、ネックとヘッドとを形成している、請求項１７に記載の電動工具。
【請求項２４】
ハウジングと、
前記ハウジングのモータとを備えた電動工具であって、前記モータは、
モータカン・ハウジングと、
前記モータカン・ハウジングにそれぞれ結合される２つの端部キャップと、
前記モータカン・ハウジング内に固定される磁束リングとを備え、前記磁束リングは、
第一及び第二の端部を有するリング部材を含み、前記端部は、組立中の前記端部が前記リングの圧縮・延伸の際に、互いに接近・離間するように互いに配置され、
さらに、前記リングと一体に形成される少なくとも１つのアンカーであって、前記リングから半径方向内側に突出するアンカーと、
少なくとも１つの磁石と、を備え、前記少なくとも１つの磁石を前記リングに結合するために前記一体に形成されたアンカーは前記磁石に嵌め込まれ、前記磁石は、前記リングが、組立中に、前記リングに結合された前記少なくとも１つの磁石と共に圧縮・延伸されるように前記リングに結合され、
さらに、前記モータカン・ハウジングに配置される接極子組立体と、
電源と、
前記モータと該モータを通電・遮断させる前記電源とに接続される起動部材と、
前記モータが該モータの通電中に出力軸を駆動させるように前記モータに接続された出力軸とを含み、
前記アンカーは、開口が前記アンカーの下に形成されて前記磁石が前記アンカーの周囲及び下に延びるように前記リングから突出している、電動工具。
【請求項２５】
モータカン・ハウジングを形成する工程と、
前記リングの圧縮・延伸中に互いに接近・離間するような２つの端部を有する磁束リングを形成する工程とを備え、前記磁束リングに一体に形成されたアンカーであって、前記リングから半径方向内側に突出するアンカーが一対の磁石に嵌め込まれ、
さらに、必要な場合に、前記磁石を有する前記磁束リングが前記モータカン・ハウジングの内径より小さな外径を有するように前記磁束リングを圧縮する工程と、
前記モータカン・ハウジングに摩擦が生じた状態で係合するように前記磁束リングを延伸する工程と、
前記磁束リングを前記モータカン・ハウジング内に固定する工程と、
第一端部キャップ組立体を前記モータカン・ハウジングに結合する工程と、
モータ接極子組立体を前記モータカン・ハウジングに挿入する工程と、
第二端部キャップ組立体を前記接極子組立体と前記モータカン・ハウジングとに結合する工程と含む電動モータを製造する方法であって、
前記アンカーは、前記磁石が該アンカーの下に延びるように前記アンカーを囲むことにより前記磁石に嵌め込まれる、電動モータを製造する方法。
【請求項２６】
前記延伸工程は、前記磁束リングの圧縮力を除去することによりなされる請求項２５に記載の電動モータを製造する方法。
【請求項２７】
前記磁束リングの前記モータカン・ハウジングへの固定は、溶接、クリンチ、機械的な締結、接着又はこれに類似する方法によりなされる請求項２５に記載の電動モータを製造する方法。
【請求項２８】
前記磁束リング上に前記磁石を射出成形する工程をさらに含む請求項２５に記載の電動モータを製造する方法。
【請求項２９】
前記第一端部と第二端部とは、前記モータカン・ハウジングの中で前記延伸された状態で互いにオーバーラップする又は噛合う前記磁束リングを形成する工程をさらに含む請求項２５に記載の電動モータを製造する方法。
【請求項３０】
前記磁束リングを前記モータカン・ハウジングに固定するように、前記オーバーラップした部分又は噛合った部分を前記モータカン・ハウジングに溶接する工程をさらに含む請求項２９に記載の電動モータを製造する方法。
【請求項３１】
前記アンカーは、開口とさら穴部分とを備えており、前記さら穴部分は前記リングの外側表面まで延びており、前記磁石は、前記さら穴部分を囲むと共に前記さら穴部分の中へ延びてリングの外側表面まで至り、ネックとヘッドとを形成している、請求項２５に記載の電動モータを製造する方法。
【請求項３２】
モータカン・ハウジングを形成する工程と、
前記リングの圧縮・延伸中に互いに接近・離間するような２つの端部を有する磁束リングを形成する工程とを備え、前記磁束リングに一体に形成されたアンカーであって、前記リングから半径方向内側に突出するアンカーが一対の磁石に嵌め込まれ、
さらに、必要な場合に、前記磁石を有する前記磁束リングが前記モータカン・ハウジングの内径より小さな外径を有するように前記磁束リングを圧縮する工程と、
前記モータカン・ハウジングに摩擦が生じた状態で係合するように前記磁束リングを延伸する工程と、
前記磁束リングを前記モータカン・ハウジング内に固定する工程と、
第一端部キャップ組立体を前記モータカン・ハウジングに結合する工程と、
モータ接極子組立体を前記モータカン・ハウジングに挿入する工程と、
第二端部キャップ組立体を前記接極子組立体と前記モータカン・ハウジングとに結合する工程と含む電動モータを製造する方法であって、
前記アンカーは、開口が前記アンカーの下に形成されて前記磁石が前記アンカーの周囲及び下に延びるように前記リングから突出している、電動モータを製造する方法。
【請求項３３】
モータカン・ハウジングを形成する工程と、
前記リングの圧縮・延伸中に互いに接近・離間するような２つの端部を有する磁束リングを形成する工程とを備え、前記磁束リング上に一体に形成されたアンカーであって、前記リングから半径方向内側に突出するアンカーが一対の磁石に嵌め込まれ、
さらに、必要な場合に、前記磁石を有する前記磁束リングが前記モータカン・ハウジングの内径よりも小さな外径を有するように前記磁束リングを圧縮する工程と、
前記磁束リングを前記モータカン・ハウジングに挿入する工程と、
前記モータカン・ハウジングに摩擦が生じた状態で係合するように前記磁束リングを延伸する工程と、
前記磁束リングを前記モータカン・ハウジングに固定する工程と、
第一端部キャップ組立体を前記モータカン・ハウジングに結合する工程と、
モータ接極子を前記モータカン・ハウジングに挿入する工程と、
第二端部キャップ組立体を前記接極子と前記モータカン・ハウジングとに結合する工程と、
ハウジングハーフを準備する工程と、
前記ハウジングハーフに前記モータを配置する工程と、
前記ハウジングハーフに出力軸を配置し、前記出力軸を前記モータに結合する工程と、
前記ハウジングハーフの中に起動部材を配置する工程と、
順番に前記出力軸を駆動させる前記モータを通電・遮断するように前記起動部材を前記モータに電気的に接続する工程と、
電動工具を形成するように第一ハウジングハーフに第二ハウジングハーフを結合する工程と、
電源が前記モータと前記起動部材とに電気的に接続するように前記ハウジングハーフの中に電源を配置する工程とを含む電動モータを製造する方法であって、
前記アンカーは、前記磁石が該アンカーの下に延びるように前記アンカーを囲むことにより前記磁石に嵌め込まれる、電動モータを製造する方法。
【請求項３４】
前記延伸は、前記リング上の圧縮力を除去することによりなされる請求項３３に記載の電動モータを製造する方法。
【請求項３５】
前記磁束リングを前記モータカン・ハウジングに固定する工程は、溶接、クリンチ、機械的な締結、接着又はこれに類似する方法によりなされる請求項３３に記載の電動モータを製造する方法。
【請求項３６】
前記磁束リング上に前記磁石を射出成形する工程をさらに含む請求項３３に記載の電動モータを製造する方法。
【請求項３７】
前記第一及び第二の端部が、前記モータカン・ハウジングの中に前記延伸された状態で互いにオーバーラップし又は噛合うように前記磁束リングを形成する工程をさらに含む請求項３３に記載の電動モータを製造する方法。
【請求項３８】
前記磁束リングを前記モータカン・ハウジングに固定するように、前記オーバーラップした又は噛合う部分を前記モータカン・ハウジングに溶接する工程をさらに含む請求項３７に記載の電動モータを製造する方法。
【請求項３９】
前記アンカーは、開口とさら穴部分とを備えており、前記さら穴部分は前記リングの外側表面まで延びており、前記磁石は、前記さら穴部分を囲むと共に前記さら穴部分の中へ延びてリングの外側表面まで至り、ネックとヘッドとを形成している、請求項３３に記載の電動モータを製造する方法。
【請求項４０】
モータカン・ハウジングを形成する工程と、
前記リングの圧縮・延伸中に互いに接近・離間するような２つの端部を有する磁束リングを形成する工程とを備え、前記磁束リング上に一体に形成されたアンカーであって、前記リングから半径方向内側に突出するアンカーが一対の磁石に嵌め込まれ、
さらに、必要な場合に、前記磁石を有する前記磁束リングが前記モータカン・ハウジングの内径よりも小さな外径を有するように前記磁束リングを圧縮する工程と、
前記磁束リングを前記モータカン・ハウジングに挿入する工程と、
前記モータカン・ハウジングに摩擦が生じた状態で係合するように前記磁束リングを延伸する工程と、
前記磁束リングを前記モータカン・ハウジングに固定する工程と、
第一端部キャップ組立体を前記モータカン・ハウジングに結合する工程と、
モータ接極子を前記モータカン・ハウジングに挿入する工程と、
第二端部キャップ組立体を前記接極子と前記モータカン・ハウジングとに結合する工程と、
ハウジングハーフを準備する工程と、
前記ハウジングハーフに前記モータを配置する工程と、
前記ハウジングハーフに出力軸を配置し、前記出力軸を前記モータに結合する工程と、
前記ハウジングハーフの中に起動部材を配置する工程と、
順番に前記出力軸を駆動させる前記モータを通電・遮断するように前記起動部材を前記モータに電気的に接続する工程と、
電動工具を形成するように第一ハウジングハーフに第二ハウジングハーフを結合する工程と、
電源が前記モータと前記起動部材とに電気的に接続するように前記ハウジングハーフの中に電源を配置する工程とを含む電動モータを製造する方法であって、
前記アンカーは、開口が前記アンカーの下に形成されて前記磁石が前記アンカーの周囲及び下に延びるように前記リングから突出している、電動モータを製造する方法。
【請求項４１】
複数の嵌合する又は噛合う突起及び凹部分をさらに備えた請求項４に記載の磁束リング。
【請求項４２】
複数の嵌合する又は噛合う突起及び凹部分をさらに備えた請求項１２に記載の電動モータ。
【請求項４３】
複数の嵌合する又は噛合う突起及び凹部分をさらに備えた請求項２０に記載の電動工具。
【請求項４４】
隙間が、それぞれの前記突起及び凹部分に沿って軸線方向と円周方向とに形成され、その結果、軸線方向の隙間は延伸中には大きくなり、円周方向の隙間は、ほぼ一定のままであり、溶接により前記端部が連絡されるように前記円周方向の隙間で溶接可能にさせる請求項４に記載の磁束リング。
【請求項４５】
隙間が、それぞれ前記突起及び凹部分に沿って軸線方向と半径方向とに形成され、その結果、軸線方向の隙間が延伸中に大きくなり、半径方向の隙間がほぼ一定のままであり、前記溶接により前記端部が連絡されるように前記半径方向の隙間で溶接可能にさせる請求項１２に記載の電動モータ。
【請求項４６】
隙間が、それぞれ前記突起及び凹部分とに沿って軸線方向と半径方向とに形成され、その結果、軸線方向の隙間が延伸中に大きくなり、半径方向の隙間がほぼ一定のままであり、前記溶接により前記端部が連絡されるように前記半径方向の隙間で溶接可能にさせる請求項２０に記載の電動工具。
【発明の詳細な説明】
【０００１】
【発明の属する技術分野】
本発明は、電動工具のために、特に磁束リングを含むモータに関する。
【０００２】
【従来の技術】
電動モータ構造において、モータの磁石は、ハウジングに又はハウジング内部に配置された別個の磁束リングに保持されなければならない。通常、これらの磁石は、金属の磁束リング又はハウジングに、接着又は固着されてきた。磁束リングを使用の際、磁束リングと磁石とをハウジングに配置するために異なる種々の方法が利用されてきた。一つの方法は、ハウジングの内部に磁束リングを配置し、その後、磁束リングの上方へ磁石を付け加えることである。他の方法は、一般に磁石を磁束リングの上方に固着し、その後、ハウジングの中へ磁束リングを滑動させることである。このように、モータ・ハウジングに配置可能で、組立中に定位置に磁束リングを把持するようにモータ・ハウジングに摩擦が生じる状態で係合可能な磁束リング上に配置された磁石を磁束リングに設けることが好ましい。
【０００３】
【課題を解決するための手段】
本発明は、磁束リングに固定された磁石と共に半径方向に拡大縮小可能な磁束リングを備えた技術を提供する。磁束リングを有するモータを製造するために、ハウジングに磁束リングを配置することが好ましく、磁束リングが、ハウジングに固定されるまで磁束リングが摩擦が生じる状態でそのハウジングの内部の周囲に係合する。また、磁束リングは、最大の磁力運搬能力を与えるように、その端部間の隙間を最小にする。
【０００４】
本発明の最初の形態によれば、磁束リングは第一と第二の端部を有しているリング部材を備えている。前記両端部は、両端部が組立中のリングの圧縮・延伸の際に、互いに接近・離間するように配置される。少なくとも1つのアンカーは、リングと一体に形成される。少なくとも1つの磁石は、その磁石をリングに結合するように一体に形成されたアンカーと結合される。磁石は、磁束リングと結合された少なくとも１つの磁石と共に磁束リングが組立中に圧縮・延伸可能なように磁束リングと結合される。第一端部と第二端部とは、互いにオーバーラップする（重なる）又噛み合う。少なくとも1つの磁石が、磁石をリングに結合するようにアンカーに磁石をはめ込むようにリングに形成される。第一と第二の端部は、嵌合する又は噛合う突起と、受承用凹部分との少なくとも１つを含むことができる。少なくとも1つの磁石がリングの上へ射出成形される。アンカーは、さら穴を有するリングの開口の場合もある。また、アンカーは、リングと一体に形成され且つリングから放射状に突出されても良い。また、アンカーの組合せが使用されても良い。
【０００５】
本発明の第二の形態によれば、電動モータは、モータカン・ハウジングに結合される一対のキャップを有するモータカン・ハウジングを備えている。磁束リングは、モータカン・ハウジングの内部に配置される。磁束リングは、第一と第二の端部を有しているリング部材を含む。その端部は、組立中のリングが圧縮・延伸している間に、端部が互いに接近・離間するように配置される。また、少なくとも1つのアンカーがリングと一体に形成される。少なくとも1つの磁石は、その磁石をリングに結合させるために一体に形成されたアンカーと結合される。組立中に磁束リングが少なくとも1つの磁石と共に圧縮・延伸可能なように磁石はリングと結合される。第一端部と第二端部とは、互いにオーバーラップする。少なくとも1つの磁石は、その磁石が磁石をリングに結合するためにアンカーにはめ込むようにリングに形成される。第一と第二の端部は、嵌合する又は噛合う突起と受承用凹部分のうち少なくとも１つを含むことができる。少なくとも1つの磁石は、リングの上へ射出成形される。また、アンカーは、さら穴を有するリングの開口でも良い。また、アンカーは、リングと一体に形成され且つリングから半径方向に突出された部材でも良い。さらに、アンカーの組合せの使用も可能である。接極子組立体は、モータカン・ハウジングの中に配置される。
【０００６】
本発明の第三の形態によれば、電動工具は、モータを有するハウジングを備えている。モータは、モータカン・ハウジングに固定された一対のキャップを有するモータカン・ハウジングを備えている。磁束リングは、モータカン・ハウジングの内部に配置される。磁束リングは、第一と第二の端部を有するリング部材を有している。端部は、組立中にリングを圧縮・延伸している際に互いに接近・離間するように配置される。少なくとも1つのアンカーは、リングと一体に形成される。少なくとも1つの磁石は、その磁石をリングに結合するように、一体に形成されたアンカーに結合される。この磁石は、磁束リングがリングに結合された少なくとも１つの磁石と共に組立中に圧縮・延伸するようにリングと結合される。第一端部と第二の端部とは、互いにオーバーラップされる。少なくとも1つの磁石が、リングに磁石が結合するアンカーで磁石をはめ込むようにリングに形成される。第一と第二の端部は、嵌合する又は噛み合っている突起と、受承用凹部分とを含んでも良い。少なくとも1つの磁石は、リング上に射出成形される。アンカーは、さら穴を有するリングの開口の場合もある。アンカーは、リングと一体に形成され且つリングから半径方向に突出された部材でも良い。また、アンカーの組合せの使用も可能である。接極子組立体は、モータカン・ハウジングの中に配置される。電源は、ハウジングに結合される。起動部材は、モータと接続され且つモータを通電・遮断させる電源に接続される。出力軸は、モータがモータの回転中に出力軸を駆動するようにモータに接続される。
【０００７】
本発明の第四の形態によれば、電気のモータを製造する方法は、モータカン・ハウジングを形成する工程を有する。磁束リングは、組立中にリングが圧縮・延伸する際に互いに接近・離間するように２つの端部を有するように形成される。一対の磁石は、磁束リング上で一体に形成されたアンカーと結合される。磁束リングは、必要な場合に、磁束リングがモータカン・ハウジングの内部直径より小さい外径を有するように磁束リング上の磁石と共に圧縮される。磁束リングは、モータカン・ハウジングに挿入される。磁束リングは、モータカン・ハウジングを摩擦が生じる状態で係合するように延伸される。磁束リングは、磁束リング上の圧縮力が除去されることによりに延伸される。磁束リングは、好ましくは溶接、クリンチ（つぶし留め）、締結、接着により、モータカン・ハウジングに固定される。第一のモータ・キャップ組立は、モータカン・ハウジングに固定される。モータ接極子組立は、モータカン・ハウジングの磁束リングに挿入される。第二のキャップは、接極子組立とモータカン・ハウジングとに結合される。磁石は、磁束リングの上へ射出成形される。磁束リングは、第一と第二の端部がモータカン・ハウジングの中に延伸状態で互いにオーバーラップするように形成される。オーバーラップした端部の一部分が、モータカン・ハウジングの中で磁束リングを固定するためにハウジングに溶接される。
【０００８】
本発明の第五の形態によれば、電動工具を製造する方法は、モータカン・ハウジングを形成する工程を含む。磁束リングは、組立中のリングが圧縮・延伸する間に、互いに接近・離間するような２つの端部を有するように形成される。一対の磁石は、一体に形成されたアンカーに磁束リングの上で結合される。磁束リングは、必要な場合には、磁束リングがモータカン・ハウジングの内部直径より小さい外径を有するように磁束リング上の磁石と共に圧縮される。磁束リングは、モータカン・ハウジングに挿入される。磁束リングは、モータカン・ハウジングに摩擦が生じる状態で係合するように延伸される。磁束リングは、磁束リング上の圧縮力が除去されることにより延伸される。磁束リングは、好ましくは、溶接、つぶし締め、締結、接着又はこれと類似する方法により、モータカン・ハウジングに固定される。第一のモータ・キャップ組立体は、モータカン・ハウジングに固定される。モータ接極子組立体は、モータカン・ハウジングの中で磁束リングに挿入される。第二のキャップは、接極子組立とモータカン・ハウジングとに結合される。磁石は、磁束リングの上へ射出成形される。磁束リングは、第一と第二の端部が、モータカン・ハウジングの中で延伸状態で互いにオーバーラップする又は噛合うように形成される。オーバーラップした又は噛み合わされた端部の一部分は、磁束リングをモータカン・ハウジングに固着するようにハウジングに固定される。また、ハウジング・ハーフが設けられる。モータは、ハウジング・ハーフに配置される。出力軸は、ハウジング・ハーフに配置され、モータに結合される。起動部材は、ハウジング・ハーフの中で配置されて、順番に出力軸を駆動するモータを通電・遮断させるようにモータと電源とに、電気的に接続される。第二のハウジング・ハーフは、電動工具を形成するように第一のハウジング・ハーフに結合される。電源は、ハウジングに結合され、モータに電気的に接続される。
【０００９】
本発明の追加の目的と利点は、好ましい実施形態の詳細な説明と、特許請求の範囲と、添付図面とから明白にされる又は本発明の実施することにより理解されるであろう。
【００１０】
【発明の実施の形態】
図面を参照すれば、図1は、参照番号10で示された電動工具、特にドリルを示している。電動工具10は、互いに一体に連結される２つのハーフを有するハウジング12を含む。モータ14は、ハウジング12内部に配置される。モータ14は、チャック端部18を含む出力軸16に結合される。また、モータ14は、この場合バッテリーである電源22に加え起動部材20と電気的に接続される。起動部材20は、最終的にチャック18を順番に回転させるモータ14を通電・遮断させる。
【００１１】
モータ14は、モータカン・ハウジング32と、磁束リング34と、磁石36、38とを有する固定子組立体30を含む。接極子40は、シャフト42と、ラミネーション46と巻き(winding)48とを有するローター44と、整流子50とを含む。接極子40は、シャフト42と結合され、モータカン・ハウジング32の内部に位置される。また、モータは端板52、54を含む。端板52は、シャフト42の一方の端部のバランスを保つベアリング56を含む。シャフト42は、電動工具の出力部分である小歯車60に結合される。ブラシ62、64は、整流子50と連関する。また、ベアリング70は、シャフト42の回転のバランスを保つように端板54と結合される。
【００１２】
図2を参照すれば、磁束リング34が、磁石36、38を備えたで状態を示している。磁石36、38は、成形された磁気材料の磁石である。この成形された材料は、射出成形された材料であることが好ましい。リング34は、ダイ内部で圧断・圧延・配置され、磁気材料は、磁束リング上に成形される。また、リングは機械加工部品でも良い。さらに、磁石は、予め形成され、リング上の定位置に接着されても良い。
【００１３】
磁束リング34は、リング34上に磁石36、38を保持するようにアンカー80を含む。アンカー80は、２つのタイプがある。まず、アンカー82は、磁束リング34の中に形成された開口である。開口は、第一の部分84と、第二のさら穴部分86とを有する。さら穴部分86は、リング34の外部88に延びる。成形された磁気材料がアンカー82に受承されるように、成形された材料はリングに嵌め込まれ且つネック92とヘッド94とを有する。ネック92、ヘッド94は、全体的にリベット形状が与えられる。このように、ヘッド94は、リング34に磁石36、38を保持するように作用する。リング34は、リング34に磁石を保持するように複数の開口アンカー82を備えても良い。
【００１４】
追加のアンカー96が、リングに使用されても良い。アンカー96は、リング34の内部表面98から半径方向に突出することが示されている。しかし、アンカー96はリング34から半径方向に外側に突出しても良い。通常、アンカー96は、突出するアンカー96に接する開口100を形成するリング34に押し込み等される。このように、成形された磁気材料が突出しているアンカー96の周りに形成するときには、同様にこの磁気材料はアンカーの下で嵌め込み用開口100に案内し、この成形された磁気材料をアンカー96に嵌め込む。これにより、磁石はリング34上に堅く保持される。
【００１５】
リング34は、一対の端部102、104を含む。端部102、104は、お互いにオバーラップされる。このオーバラップにより、リング34のまわりに実質的に連続な磁束が生じる。また、端部102、104は、モータカン・ハウジング32の中にリング34を配置する際におけるリングが圧縮・延伸されるときに、オーバーラップされる。また、リング34は、すでにリングに固定された磁石34、36と共に圧縮・延伸されても良いことが判る。さらに、端部102、104は、モータカン・ハウジング32に溶接されるようにリング34上に平面が与えられる。
【００１６】
図4〜7を参照すれば、モータ14の製造がさらに理解されるであろう。モータカン・ハウジング32は、2つの開端部が設けられる。しかし、図のモータカン・ハウジングは、モータカン・ハウジングに一体の端部が使用されている。すでにリング34に磁石36、38を有するリング34は、必要な場合にはリング34の外径がモーターカン・ハウジング32の内径よりも小さくなるように圧縮される。半径方向に圧縮された状態でリング34は、モータカン・ハウジング32の内部に配置される。圧縮力は、延伸力を与えるリング34から除去される。リング34が延伸すると、リング34をハウジング32上の一定位置に保持させるモータカン・ハウジング32に摩擦が生じた状態で係合する。また、リングは、モータカン・ハウジングの内径よりも小さい外径を有する場合もある。従って、リングは、モータカン・ハウジングに摩擦が生じた状態で係合するように強制的に延伸させられる。その後、リング34は、溶接、クリンチ（例えば、モータカン・ハウジングの磁束リング内への押込み又は磁束リングのモータカン・ハウジングへの押し込み）、接着、機械的な締結（リベット結合等）又はこれと類似の方法によってモータカン・ハウジング32に固定される。リングは、端部102, 104においてモータカン・ハウジング32とリングを固定するように溶接される。また、リング34は、端部から180°の位置でモータカン・ハウジングに溶接される場合もある。溶接後、端板52は、モータカン・ハウジング32の1つの端部に配置される。ベアリング70だけでなくブラシ62、64を含む端板54を有する接極子40は、モータカン・ハウジング32に挿入される。端板54は、モータ14を形成しているモータカン・ハウジング32と結合される。
【００１７】
図8〜11を参照すれば、上述されたモータ14は、ハウジング・ハーフの中に配置される。チャック端部18を有する電動工具の出力軸16は、モータ14と結合される。順番に、起動部材20は、ハウジング・ハーフに配置され、モータ14と電気的に接続される。第二のハウジング・ハーフは、第一のハウジング・ハーフと結合される。その後、この場合バッテリーである電源22は、ハウジング12に挿入される、順番にモータ14で電気的に接続される起動部材20と電気的に接続される。また、モータと出力軸とチャックと起動部材は、ユニットとしてハウジング・ハーフに配置されるように一体に組立てられる場合もある。その後、他のハウジング・ハーフが、第一のハウジング・ハーフに結合され、バッテリーが追加される。起動部材がモータ14に通電すると、出力軸16はチャック18を回転させる。
【００１８】
図12〜14は、異なるリングの実施形態を示している。このリングの違いは、その端部である。
【００１９】
図8〜11は、端部102'、104'を有するリング34'を示している。端部104'は、突出部材208を有する切り抜き部分206を含んでいる。突出部材208は、溶接の位置決めの役割を果たす。単一の突出部材208が示されているが、複数の部材が使用されても良い。
【００２０】
図13は、本発明の追加の実施形態を示している。ここでは、端部102''、104''は、互い違いの突起304、306と、凹部分308、310とを有する。これらの突起と凹部分とにより端部102''、104''を噛合わせることが可能である。隙間312、314は、端部102'',104''間に形成される。リング34''がモータ・ハウジング32の中で延伸されると、隙間314は実質的に一定の大きさのままであるが、隙間312の大きさは大きくなる。隙間314は、溶接が端部102''と104''との間でモータ・ハウジング32に連絡するように十分に小さくされている。
【００２１】
図14は、リング34'''の追加の実施形態を示している。ここでは、端部102'''は、一対の凹部分402を含み、端部104'''は一対の突出部材404を含んでいる。突出部材404は、凹部分402に突出し、モータカン・ハウジング32にリング34'''を溶接するように溶接位置を設ける。また、それぞれの端部は、1つの突起と、1つの凹部分とを含む場合もある。隙間406、408は、端部102'''と104'''との間に形成される。リング34'''がモータ・ハウジング32の中に延伸すると、隙間406は、大きくなり、隙間408は、実質的に一定の大きさのままである。隙間408は、溶接が端部102'''と104'''との間でモーター・ハウジング32に連絡するように十分に小さなままである。
【００２２】
また、「磁束リング又はモーターハウジング上に射出成形された磁石固定装置（ANCHORING SYSTEM FOR INJECTION MOLDED MAGNETS ON A FLUX RING OR MOTOR HOUSING）」の名称の2000年1月27日出願の米国特許出願番号09/492,059の明細書と図面とを参照することにより本明細書に記載したものとする。米国特許出願番号09/492059の中で示された磁束リングの実施形態は、リングの端部が先に述べたように図2又は12〜14に関して上述されるように変形されることを除き本発明における同等物に置換されても良い。
【００２３】
上述の記載は本発明の好ましい実施形態を記載しているが、本発明は、従属請求項の範囲と正確な意味とから逸脱することなく修正例、変形例、変更例が許容される。
【図面の簡単な説明】
【図１】  本発明の電動工具の断面図である。
【図２】  本発明の磁束リングの斜視図である。
【図３】  本発明の磁束リングを含むモータの組立分解図である。
【図４】  本発明のモータの組立工程を示している。
【図５】  本発明のモータの組立工程を示している。
【図６】  本発明のモータの組立工程を示している。
【図７】  本発明のモータの組立工程を示している。
【図８】  本発明の電動工具の組立工程を示している。
【図９】  本発明の電動工具の組立工程を示している。
【図１０】  本発明の電動工具の組立工程を示している。
【図１１】  本発明の電動工具の組立工程を示している。
【図１２】  本発明の磁束リングの他の実施形態を示している。
【図１３】  本発明の磁束リングのさらなる他の実施形態を示している。
【図１４】  本発明の磁束リングのさらなる他の実施形態を示している。
【符号の説明】
１０…電動工具
１２…シャフト
１４…モータ
１８…チャック部材
２０…起動部材
２２…電源
３２…モータカン・ハウジング
３４…磁束リング
３８…磁石
４０…接極子
８０、８２、９６…アンカー
８６…さら穴
１０２、１０４…端部
【図１】
0004499307.tif 000002
【図２】
0004499307.tif 000003
【図３】
0004499307.tif 000004
【図４】
0004499307.tif 000005
【図５】
0004499307.tif 000006
【図６】
0004499307.tif 000007
【図７】
0004499307.tif 000008
【図８】
0004499307.tif 000009
【図９】
0004499307.tif 000010
【図１０】
0004499307.tif 000011
【図１１】
0004499307.tif 000012
【図１２】
0004499307.tif 000013
【図１３】
0004499307.tif 000014
【図１４】
0004499307.tif 000015